(57)【要約】【課題】発光性塗料（又は発光性物質）による脱出用の誘導機能を確実に発揮できるようにした消防用ホースを提供する。【解決手段】ホース本体１０の長手方向端部の一方に連結用のオス金具１１を取り付け、他方にメス金具１２を取り付けた消防用ホースにおいて、前記ホース本体１０のホース長手方向に沿って前記メス金具１２側を指し示す形状をした発光性塗料からなるマーク３を列状に付着した。或いは、発光性物質を配合した合成繊維を前記ホース本体の長手方向に沿って前記メス金具１２側を指し示す形状のマーク３又は織柄に織り込んだ。【選択図】　　　　図１
2004132443.tif 000002
【特許請求の範囲】
【請求項１】
ホース本体の長手方向端部の一方に連結具のオス金具を取り付け、他方にメス金具を取り付けた消防用ホースにおいて、前記メス金具側を指し示す形状にした発光性塗料からなるマークを前記ホース本体の長手方向に沿って列状に付着した消防用ホース。
【請求項２】
ホース本体の長手方向端部の一方に連結具のオス金具を取り付け、他方にメス金具を取り付けた消防用ホースにおいて、発光性物質を配合した合成繊維を前記ホース本体の長手方向に沿って前記メス金具側を指し示す形状のマーク又は織柄に織り込んだ消防用ホース。
【請求項３】
前記発光性塗料が蓄光塗料又は蛍光塗料である請求項１又は２に記載の消防用ホース。
【請求項４】
前記ホース本体が管状織物からなるジャケットの内面にゴム又は合成樹脂の被覆層を設けて構成され、該ホース本体を偏平に折り畳んだときの少なくとも一方の側縁に前記マークを付着した請求項１、２又は３に記載の消防用ホース。
【発明の詳細な説明】
【０００１】
【発明の属する技術分野】
本発明は消防用ホースに関し、更に詳しくは、ビル火災等において暗闇状態になった屋内から屋外へ脱出する誘導手段として機能するようにした消防用ホースに関する。
【０００２】
【従来の技術】
ビル火災等において、消火活動や救助活動に当る消防士或いは屋内に取り残された人々が、停電等により暗闇状態になった屋内から屋外へ脱出する場合に、その脱出方向が分からなくなって迷走することがある。このようなとき、その脱出を手助けする手段として、消防用ホースの長手方向の全長に発光性塗料を塗布することが提案されている（特許文献１参照）。この消防用ホースを使用すれば、消防用ホースは消火活動に当たる火災現場から屋外の消防自動車まで展張するように連結されているので、その消防用ホースに塗布された発光性塗料の光を頼りに移動していけば、暗闇中であっても必ず屋外の消防自動車のところまで脱出することができる。
【０００３】
しかし、大火災時には、多数の消防用ホースが入り乱れるように火災現場まで引き込まれると共に、それらの消防用ホースは途中で色々な方向に延長したり，交錯したりすることがあるので、たとえ消防用ホースの表面に発光性塗料が塗布してあったとしても、ホース長手方向のどちらの方向へ進めばよいのか分からなくなってしまうことがある。すなわち、単にホース本体の表面に発光塗料が塗布してあるだけでは、脱出用の誘導機能を果たせなくなることがある。
【０００４】
【特許文献１】
特開２０００−１４０１４６号公報
【０００５】
【発明が解決しようとする課題】
本発明の目的は、上述した従来の問題を解消し、発光性塗料又は発光性物質による脱出用の誘導機能を確実に発揮できるようにした消防用ホースを提供することにある。
【０００６】
【課題を解決するための手段】
上記目的を達成する本発明の消防用ホースは、ホース本体の長手方向端部の一方に連結具のオス金具を取り付け、他方にメス金具を取り付けた消防用ホースにおいて、前記メス金具側を指し示す形状にした発光性塗料からなるマークを前記ホース本体の長手方向に沿って列状に付着したことを特徴とするものである。
【０００７】
このように発光性塗料からなるマークを方向性を示す形状にし、かつその方向性を示すマークが指し示す方向をホース本体の一方の端部に取り付けたメス金具側にしてあり、そのメス金具側は、規格により消防自動車等のポンプ吐出口が連結される側であるので、そのマークが指し示す方向に従って移動しさえすれば、必ず屋外の消防自動車まで脱出することができる。
【０００８】
また、上記目的を達成する本発明の他の消防用ホースは、ホース本体の長手方向端部の一方に連結具のオス金具を取り付け、他方にメス金具を取り付けた消防用ホースにおいて、発光性物質を配合した合成繊維を前記ホース本体の長手方向に沿って前記メス金具側を指し示す形状のマーク又は織柄に織り込んだことを特徴とするものである。
【０００９】
このように発光性物質を配合した合成繊維からなるマーク又は織柄をホース本体の一方の端部に取り付けたメス金具側を指し示す形状にしてあるので、上記同様に、そのマーク又は織柄が指し示す方向に従って移動しさえすれば、必ず屋外の消防自動車まで脱出することができる。
【００１０】
【発明の実施の形態】
本発明において、消防用ホースの種類は特に限定されるものでなく、消防法で規定されたものがいずれも適用可能である。また、本発明に適用される消防用ホースとしては、ホース本体の長手方向端部の一方に連結金具のオス金具を取り付け、他方にメス金具を取り付けたものが適用される。このようにホース本体の両端部にオス金具とメス金具とを取り付けた消防用ホースが、複数本の単位でオス金具とメス金具とを互いに連結すると共に、後端のメス金具を消防自動車のポンプ吐出口に連結し、また先端のオス金具の放水ノズルに連結して使用される。
【００１１】
また、消防用ホースとしては、特にホース本体を管状織物のジャケットの内面にゴム又は合成樹脂の被覆層を設けて構成し、非使用の保管時には偏平に折り畳んだ状態でロール状に巻回するか、或いは偏平に折り畳んだ状態で複数本の支持バーにジグザグ状に懸架するものが好ましく使用される。
【００１２】
ホース本体の表面に付着するマーク又は織り込むマークは、矢印のように方向性を有する形状にしたものとする。或いは、織り込む場合は、ホース本体の織柄として、例えば、杉綾などの方向性を有する形状にしたものでもよい。しかも、そのマーク又は織柄はホース本体表面において、必ず消防用ホースの端部に取り付けられたメス金具側を指し示すように配置するようにする。
【００１３】
マークは発光性塗料をホース本体の表面に塗布することで形成するか、または発光性物質を混合した合成繊維をマーク又は織柄として織り込むようにする。発光性塗料および発光性物質としては、暗闇で発光する物質を含有する塗料或いはその発光物質であれば特に限定されず、例えば、発光性塗料としては、蓄光塗料や蛍光塗料等を使用することができる。
【００１４】
蓄光塗料とは、光エネルギーを吸収蓄積することにより励起して発光する物質（蓄光物質）を含んだ塗料である。この蓄光塗料には、蓄光物質を適当な樹脂又はセルロース誘導体等の展色剤と練り合わせたものを使用することができる。
【００１５】
蓄光物質は、特に限定されるものではないが、微量の重金属活性化剤を添加した亜鉛やカルシウム等の硫化物などを用いることができる。例えば、硫化亜鉛系〔ｎＺｎＳ・（１−ｎ）ＣｄＳ：Ｃｕ〕（ｎ＝０．７８〜　１．０，Ｃｕ＝０．０１％）、硫化カルシウム系〔ｎＣａＳ・（１−ｎ）ＳｒＳ：Ｂｉ，Ｃｕ〕（ｎ＝　０〜　１．０，Ｂｉ＝０．０４％，Ｃｕ＝０．０１％）等が挙げられる。一般には、これに更にトリチウム（　３Ｈ）、　１４７Ｐｍ、　２２６Ｒａなどの放射性核種を極微量添加する。また、より好ましい蓄光物質として、溶剤タイプの〔　ＳｒＡｌ２　Ｏ４　：Ｅｕ，Ｄｙ〕や水系タイプの〔Ｓｒ４　Ａｌ１４Ｏ２５：Ｅｕ，Ｄｙ〕を挙げることができる。これら蓄光物質は、蓄光性が優れているため放射性物質の添加が不要である。
【００１６】
蓄光塗料の溶剤は、特に限定されることはなく、アセトン等の一般的な溶剤を使用することができる。また、蓄光塗料には微細なガラス玉等からなる反射材料を添加することができる。このような反射材料は外部からの光を反射して蓄光塗料の発光作用を補完する。そのため、蓄光塗料の反射材料を添加することにより、高価な蓄光塗料の使用量を更に低減することができる。
【００１７】
また、蛍光塗料は、有機または無機の蛍光体を含有する塗料のことである。有機蛍光体は、蛍光染料を合成樹脂の展色剤に溶解した固溶体であり、合成樹脂としてはポリ塩化ビニル、アルキド樹脂、アクリル樹脂などが使用される。無機蛍光体は、無機蛍りん光体を利用したものであり、極めて純度の高い亜鉛、カドミニウム、カルシウム、アルミニウム、イットリウムなどの金属の酸化物、硫化物、ケイ酸塩、タングステン酸塩などを主成分とし、これに微量のマンガン、銀、銅、鉛、ユーロビウムなどの活性化剤および融剤を添加し、高温で焼成したものなどが使用される。
【００１８】
発光性物質としては、上述した蓄光塗料や蛍光塗料に使用される蓄光物質や蛍光物質が使用される。これらの物質を合成繊維を製糸するとき、予め紡出前の重合体に混合若しくは練り込まれる。重合体としては、製糸可能なものであれば特に限定されず、例えば、ポリエステル、ポリアミド、ポリプロピレン、ポリエチレンなどが適用される。
【００１９】
以下、本発明について図に示す実施形態を参照して具体的に説明する。
【００２０】
図１は、本発明の実施形態からなる消防用ホースを例示したものであり、また図２は、図１の消防用ホースを偏平に折り畳んだときのホース本体の一部を切り出した斜視図である。
【００２１】
本発明の消防用ホースは、図１に示すように、ホース本体１０の長手方向の両端部の一方に連結金具のオス金具１１を取り付け、他方にメス金具１２を取り付けて構成されている。ホース本体１０の表面には、長手方向の全長に渡り発光性塗料からなるマーク３が列状に配列するように付着している。マーク３としては、発光性物質を配合した合成繊維をホース本体１０に織り込んで形成したものであってもよい。或いは、マークがホース本体１０の全面に織柄として織り込まれていたものでもよい。
【００２２】
ホース本体１０は、図２に示すように、管状織物からなるジャケット１の内面にゴム又は合成樹脂の被覆層２を設けて構成されている。そのジャケット１の外側表面に、複数の発光性塗料からなるマーク３又は発光性物質を混合した合成繊維を織り込んだマーク３が一定のピッチで列状に形成されている。マーク３は、方向性を示すように矢印状に形成され、かつそのマーク３が、メス金具１２が取り付けられたホース本体１０の端部側を指し示している（図１参照）。
【００２３】
このマーク３を配置した位置は、図２の例では、偏平に折り畳まれたホース本体１０の縁部になっている。この場合、マーク３はホース本体１０の両縁部のうちの片側だけであってもよく、或いは両側に設けもよい。また、マーク３の列は、１列だけであっても、或いは複数列であってもよい。
【００２４】
マーク３の形状は、方向性を示すものであれば特に限定されない。図１及び図２に示す実施形態では、マーク３の形状が三角形の矢形であるが、そのほか、例えば、図４（Ａ）〜（Ｆ）に示すような形状のものを例示することができる。マークの大きさは矢形が視認可能であれば特に限定されない。例えば、幅５〜５０ｍｍ、長さ１０〜１００ｍｍ程度であるものが好ましい。
【００２５】
ホース本体１０上のマーク３の位置は特に限定されないが、マーク３が蓄光性塗料の塗布或いは蓄光性物質を混合した合成繊維の織り込みからなる場合には、図２に示すように、消防用ホースを収納のため偏平に折り畳んだときの縁部にすることが好ましい。特に両縁部共に配置するのがよい。このように偏平状態の縁部にマーク３を付着または織り込むと、消防用ホースをロール状に巻回状態にして保管するとき、或いは多数本の支持バーにジグザグ状に懸架して保管するとき、常にホース本体１０の縁部に光が当たるようにするので、マーク３内の蓄光性物質に光エネルギーを蓄光させやすくするからである。なお、このときの光は狭い縁部だけに当ることになるが、マーク３内の蓄光性物質全体が励起するので、消防用ホースを展張したときはマーク３の全体が発光する。
【００２６】
マーク３が蛍光塗料の塗布或いは蛍光性物質を混合した合成繊維の織り込みからなる場合は、もちろん図２のようにホース本体１０の縁部に設けてもよいが、図３に例示するように、偏平に折り畳んだホース本体１０の平面部に設けてもよい。
【００２７】
また、マーク３は直接ホース表面に露出する状態のままでもよいが、好ましくは、そのマーク３の上から無色透明又は有色透明の樹脂又はエラストマーの膜で被覆するとよい。このようにマーク３の表面を透明な樹脂膜又はエラストマー膜で被覆することにより、使用時の摩擦による消耗を防ぐことができる。
【００２８】
上述した本発明の消防用ホースをビル火災等の消火作業に使用するときは、従来と同様にして行えばよい。すなわち、複数本の消防用ホースを用意し、まず最初の消防用ホースのメス金具１２側を屋外に停車した消防自動車のポンプ吐出口に連結し、他端のオス金具１１側に次の消防用ホースのメス金具１２を連結する。このようにな防用ホース毎に連結操作を順次繰り返し、最後に火災現場まで延長した消防用ホースの先端側のオス金具１１に放水ノズルを装着する。このとき連結する消防用ホースとしては、本発明の消防用ホースは屋内に展張するものだけに限定してもよい。
【００２９】
このようにして１本に連結された複数本の消防用ホースが、屋外の消防自動車から屋内の火災現場まで連続して展張される。しかも、このように展張された消防用ホースの表面には、暗闇で発光するマーク３が付着又は織り込まれ、かつ、そのマーク３の方向が屋外の消防自動車側を指し示しているので、発光するマーク３が指し示す方向に従って移動しさえすれば、脱出者は迷いなく必ず屋外へ脱出することができる。
【００３０】
【発明の効果】
以上説明したように、本発明の消防用ホースによれば、発光性塗料を塗布したマーク、又は発光性物質を混合した合成繊維を織り込んで形成したマーク又は織柄が方向性を示す形状に形成されると共に、そのマーク又は織柄がホース本体の一方の端部のメス金具側を指し示し、規格により消防自動車等の水源側を指し示しているので、そのマーク又は織柄が指し示す方向に移動しさえすれば、必ず屋外の消防自動車まで確実に脱出することができる。
【図面の簡単な説明】
【図１】本発明の実施形態からなる消防用ホースの側面図である。
【図２】図１の消防用ホースを偏平状態にしたホース本体の要部を示す斜視図である。
【図３】本発明の他の実施形態からなる消防用ホースの図２に相当する斜視図である。
【図４】（Ａ）〜（Ｆ）はそれぞれマーク形状を例示する平面図である。
【符号の説明】
１　ジャケット
２　被覆層
３　マーク
１０　ホース本体
１１　オス金具
１２　メス金具
【図１】
2004132443.tif 000003
【図２】
2004132443.tif 000004
【図３】
2004132443.tif 000005
【図４】
2004132443.tif 000006